(57)【特許請求の範囲】
【請求項１】
表示器本体ユニットと、カバーと、該カバーを前記表示器本体ユニットに着脱自在に固定するカバー固定手段とを備え、
前記表示器本体ユニットは、弾力性を有する一又は複数のラバースイッチと、樹脂製のユニットケースと、表示基板とを有し、
前記ラバースイッチは、前記ユニットケースのケース軸に沿った第一の方向にのびるスイッチ軸部と、該スイッチ軸部の一端側に形成される操作部と、前記スイッチ軸部の他端に設けられる導電性の可動接点と、前記スイッチ軸部を前記第一の方向に沿って往復自在にさせるスイッチ土台部と、該スイッチ土台部に形成されるケース取り付け部とを有し、
前記ユニットケースは、前記表示基板を収容する基板収容部を有し、
該基板収容部は、複数の壁からなる周壁と、該周壁の一端に開口する開口部と、前記周壁の他端に位置する底壁とを有し、
前記周壁における相対向する一対の壁の壁外面は、前記第一の方向に交差する第二の方向に沿ってのびるように形成される凹部、及び、該凹部に差し込まれて移動自在になるように形成される凸部のうちのいずれか一方を有し、
前記底壁は、前記スイッチ軸部を貫通させて前記操作部をケース外部に突出させる一又は複数のスイッチ用貫通孔と、前記ケース取り付け部を固定する固定部とを有し、
前記表示基板は、表示部と、該表示部を実装する基板とを有し、
該基板の裏面は、前記可動接点が接触する固定接点を有し、
前記カバーは、前記開口部を覆うカバー本体と、該カバー本体に連続して前記一対の壁に対向する一対のカバー壁とを有し、
前記カバー本体は、前記表示部を臨む透明な視認部を有し、
前記一対のカバー壁の壁内面は、前記凹部及び前記凸部のうちのいずれか他方を有する
ことを特徴とするスイッチ付き表示器。
【請求項２】
請求項１に記載のスイッチ付き表示器において、
前記一対のカバー壁は、前記カバー本体から離れる側に凸になる形状に形成されて前記ラバースイッチの位置を導く部分になる頂部を有する
ことを特徴とするスイッチ付き表示器。
【請求項３】
請求項１又は２に記載のスイッチ付き表示器において、
前記スイッチ土台部は、前記ケース取り付け部の反対側に形成される基板載置部を有し、
前記基板の前記裏面は、前記基板載置部に載置される複数の被載置部を有し、
前記基板の表面は、前記カバーから押圧される複数の被押圧部を有し、
前記カバー本体の内面は、前記被押圧部を押圧する複数の押圧部を有する
ことを特徴とするスイッチ付き表示器。
【請求項４】
請求項１、２又は３に記載のスイッチ付き表示器において、
前記周壁の壁内面は、凸形状の位置決め凸部を有し、
前記基板の縁部は、凹形状の位置決め凹部を有する
ことを特徴とするスイッチ付き表示器。
【請求項５】
請求項１、２、３又は４に記載のスイッチ付き表示器において、
前記基板に接続される出力ケーブルを更に備え、
前記底壁は、前記出力ケーブルの引出部分としてのケーブル貫通孔を有する
ことを特徴とするスイッチ付き表示器。
【請求項６】
請求項１、２、３、４又は５に記載のスイッチ付き表示器と、センサケーブルを介して前記スイッチ付き表示器の基板に接続される流量計測用のセンサ部とを備える
ことを特徴とする流量計。
【発明の詳細な説明】
【技術分野】
【０００１】
本発明は、スイッチを有しカバー越しに表示部を見るスイッチ付き表示器と、このスイッチ付き表示器を構成に含む流量計とに関する。
【背景技術】
【０００２】
スイッチ付き表示器を有する流量計としては、例えば本願出願人により提案された下記特許文献１の容積流量計が知られる。以下、図面を参照しながら従来の容積流量計の構成及び構造について説明をする。
【０００３】
図８において、容積流量計１０１は、本体部１０２と、この本体部１０２に取り付けられる計数部１０３とを備えて構成される。容積流量計１０１は、図９に示す如く、配管１０４の途中に取り付けられて、配管１０４の内部を流れる被測定流体を計量し、そして、計数部１０３の内部で流量に係る演算をして表示をすることができる流量計である。上記表示に関しては、後述する表示部１０５にて行われる。計数部１０３は、スイッチ付き表示器に相当する。
【０００４】
図９において、上流側の配管１０４と、本体部１０２の上流側フランジ１０６との間には、ストレーナ１０７が設けられる。図９中の引用符号１０８はバイパス管を示す。また、引用符号１０９はバルブを示す。バイパス管１０８は、容積流量計１０１の分解点検の際に用いる部分として設けられる。通常では、バイパス管１０８のバルブ１０９が閉じられており、分解点検の際には、ストレーナ１０７の上流のバルブ１０９と本体部１０２の下流側フランジ１１０の下流のバルブ１０９とが閉じられるように設定される。
【０００５】
図９及び図１０において、計数部１０３は、矢印Ｐ方向に向きを変えることができるような機構、別な言い方をすれば流量読み取り方向を変えることができるような方向変更機構１１１を有する。
【０００６】
図８及び図１１において、本体部１０２は、計数部１０３の取付台座１１２が取り付く前蓋部１１３と、計量室１１４を有する計量室形成部１１５と、計量室１１４に収納されて回転子軸１１６、１１６により回転する二つの回転子１１７、１１８と、計量室形成部１１５に連続する上流側フランジ１０６及び下流側フランジ１１０とを備えて構成される。前蓋部１１３は、回転子１１７、１１８を回転自在に収納した状態で計量室１１４を覆う部材に形成される。このような前蓋部１１３は、ネジ１１９により計量室形成部１１５に対して固定される。
【０００７】
前蓋部１１３と計量室形成部１１５との間には、Ｏリング１２０が設けられる。また、前蓋部１１３と取付台座１１２との間には、パッキン１２１が設けられる。回転子１１７には、Ｓ極とＮ極の二つの磁石１２２が設けられる。二つの磁石１２２は、図示の如く離れて配置される。二つの磁石１２２は、前蓋部１１３の凹部１２３に収納される検出部、すなわち計数部１０３の流量検出部（図示省略）により検知される。回転子１１７、１１８は、計量室１１４内に流入する被測定流体の体積に比例して回転するように配置される。
【０００８】
図８及び図９において、計数部１０３は、取付台座１１２と、この取付台座１１２よりも前方の方向変更機構１１１と、方向変更機構１１１よりも前方の表示器本体ユニット１２４と、この表示器本体ユニット１２４よりも前方の樹脂製のカバー１２５と、カバー１２５を表示器本体ユニット１２４に固定する手段としての複数のネジ１２６とを備えて構成される。引用符号１２７はパルス発信器を示す。このパルス発信器１２７は、出力ケーブル１２８を介して例えば図示しないＦ／Ｉ変換器、積算計に接続される。
【０００９】
表示器本体ユニット１２４は、ユニットケース１２９と、表示部１０５を実装してなる基板（後述する引用符号１３４参照）と、この基板への電力供給用の電池（図示省略）とを有する。基板は、ユニットケース１２９内に収納されてネジ止めにて固定される。電池もユニットケース１２９内に収納される。カバー１２５は、表示部１０５を臨む透明な視認部１３０と、操作用のスイッチ１３１、１３２とを有する。カバー１２５は、例えば透明な樹脂材料にて形成される（透明な樹脂材料の場合、視認部１３０以外の部分は塗装される。この他、透明な材料からなる部材と、非透明な材料からなる部材との組み合わせによりカバー１２５を形成してもよい。尚、材料は樹脂に限らない）。スイッチ１３１、１３２は、視認部１３０と同じ面に配置される。
【００１０】
図１２及び図１３において、上記スイッチ１３１、１３２に関し一例をあげると、このスイッチ１３１、１３２を構成するスイッチ軸部１３３は、内部プリント基板１３４の所定位置に実装される。そのため、カバー１２５の基材１３５には、外側からのスイッチ操作が可能になるように次の部分が形成される。すなわち、開口部１３６と、押圧部１３７とが形成される。押圧部１３７は、開口部１３６の内周縁に連続するとともに可撓性を有するように形成される。開口部１３６が形成されると、水分や異物が内部に侵入しないようにシールする必要があるため、ラベルシール（化粧板）１３８が基材１３５の表面に貼り付けられる。ラベルシール１３８は、スイッチ操作に支障を来さない程度の柔軟性を有する。ラベルシール１３８の上から作業者が指で押すことによりスイッチ操作をすることができるようになる。
【先行技術文献】
【特許文献】
【００１１】
【特許文献１】特開２００７−４７０１８号公報
【発明の概要】
【発明が解決しようとする課題】
【００１２】
上記従来技術にあっては、例えば電池交換の際に、取り外したカバー１２５を一旦どこかに置いておかなければならないことから、紛失や視認部１３０の傷付き等が懸念され、そのため作業性が悪くなってしまうという問題点を有する。
【００１３】
また、ユニットケース１２９とカバー１２５とを分離することができないようにするために、仮に、ヒンジにて上下の何れかの方向にカバー１２５を開く構造とする場合には、前述のカバー１２５の紛失等の問題が回避されるものの容積流量計１０１の取付高さによっては、上・下何れかの方向しかカバー１２５が開かないことから、カバー１２５が邪魔になり、作業性が悪くなってしまうという問題点を有する。
【００１４】
また、上記従来技術にあっては、視認部１３０と同じ面にスイッチ１３１、１３２が配置されることから、スペースの面で表示部１０５が小さくなってしまうという問題点を有する。尚、スイッチ１３１、１３２に関しては、最も手前にあることから、意図しない誤接触により誤操作を生じ得るというリスクがある。また、汚れた手でスイッチ操作をすることが想定され、他の部位に比べて水分や油分、汚れ等が付着し易いことから、結果的にスイッチ近傍に設けられた視認部１３０の視認性が悪化し易いというリスクもある。
【００１５】
また、上記従来技術にあっては、表示部１０５を臨むためにカバー１２５が例えば透明な樹脂材料にて形成されることから、金属カバーや、もしくは、ガラス等を添加して強度を増した非透明な樹脂材料に比べると、例えば油などが付着した場合や、直射日光を受けた場合には、劣化や変形を生じ易いという問題点を有する。仮に、油分や直射日光によりカバー１２５が劣化・変形してしまった場合には、ラベルシール（化粧板）１３８によりシールしていたスイッチ操作部分（開口部１３６など）の気密性が低下し、内部に水分や異物が侵入してしまうという可能性を有する。しかしながら、強度・耐久性を向上させるために、仮に、樹脂材料を用いずに金属製のケースとガラス窓等を採用した場合には、コストが大きく上がってしまうという問題点を有する。
【００１６】
また、上記従来技術にあっては、表示部１０５を実装してなる基板（内部プリント基板１３４）がユニットケース１２９内でネジ止めにより固定されることから、例えばネジの締め過ぎや締付トルクのバラツキにより、基板に不適切な反り・歪みが生じ、電子部品に劣化を生じさせたりするという問題点や、振動によってネジが緩んでしまうという問題点、さらには、ネジを伝って基板に振動のストレスが加わってしまうという問題点を有する。
【００１７】
本発明は、上記した事情に鑑みてなされたもので、作業性の向上や表示面積の増大、さらには各部分の保護などを図ることが可能な、スイッチ付き表示器及び流量計を提供することを課題とする。
【課題を解決するための手段】
【００１８】
上記課題を解決するためになされた請求項１に記載の本発明のスイッチ付き表示器は、表示器本体ユニットと、カバーと、該カバーを前記表示器本体ユニットに着脱自在に固定するカバー固定手段とを備え、前記表示器本体ユニットは、弾力性を有する一又は複数のラバースイッチと、樹脂製のユニットケースと、表示基板とを有し、前記ラバースイッチは、前記ユニットケースのケース軸に沿った第一の方向にのびるスイッチ軸部と、該スイッチ軸部の一端側に形成される操作部と、前記スイッチ軸部の他端に設けられる導電性の可動接点と、前記スイッチ軸部を前記第一の方向に沿って往復自在にさせるスイッチ土台部と、該スイッチ土台部に形成されるケース取り付け部とを有し、前記ユニットケースは、前記表示基板を収容する基板収容部を有し、該基板収容部は、複数の壁からなる周壁と、該周壁の一端に開口する開口部と、前記周壁の他端に位置する底壁とを有し、前記周壁における相対向する一対の壁の壁外面は、前記第一の方向に交差する第二の方向に沿ってのびるように形成される凹部、及び、該凹部に差し込まれて移動自在になるように形成される凸部のうちのいずれか一方を有し、前記底壁は、前記スイッチ軸部を貫通させて前記操作部をケース外部に突出させる一又は複数のスイッチ用貫通孔と、前記ケース取り付け部を固定する固定部とを有し、前記表示基板は、表示部と、該表示部を実装する基板とを有し、該基板の裏面は、前記可動接点が接触する固定接点を有し、前記カバーは、前記開口部を覆うカバー本体と、該カバー本体に連続して前記一対の壁に対向する一対のカバー壁とを有し、前記カバー本体は、前記表示部を臨む透明な視認部を有し、前記一対のカバー壁の壁内面は、前記凹部及び前記凸部のうちのいずれか他方を有することを特徴とする。
【００１９】
このような特徴を有する本発明によれば、上記凹部及び凸部のうちのいずれか一方をユニットケースに有し、カバーにはいずれか他方を有することから、例えば電池交換の際に取り外したカバーをユニットケースに引っ掛けておくことができる。取り外したカバーをユニットケースに引っ掛けておくことができれば、傷付きが生じなく、カバーを元の状態に戻す際には方向性を気にせずに作業をすることができる。また、上側・下側の何れかのうち、作業者（操作者）が作業し易い任意の方向に引っ掛けることができる（尚、比較としてヒンジの場合であると、開く向きが限定されてしまうのは勿論である。本発明の方式では、上・下好きな方に開くことができるという自由度を有する）。従って、本発明によれば、作業性を向上させることができる。
【００２０】
また、本発明によれば、スイッチをカバー側でなく表示器本体ユニットの方に設けることから、表示面積を大きく確保することができたり、スイッチの誤操作防止や劣化防止を図ったりすることができる。カバーには、スイッチが存在しないことから、作業者の汚れた手で、油分への耐久性が低いカバーに触れるリスクを大きく低減することができる。且つ、カバーにはスイッチ操作用の開口部が無くなるため、仮に、油分や直射日光によるケース劣化・変形が生じても、開口部からの水分・異物の侵入を本質的に回避することができる。且つ、新たにスイッチを配置する表示器本体ユニット側については、作業者（操作者）に触れられて油等が付着する可能性が高くなるものの、カバーとは異なり、透明性が不要であることから、油等への耐久性が高い樹脂材料を適用することができる。また、本発明によれば、スイッチとしてラバースイッチを採用することから、材質の面から耐油性能や耐振動性能等の向上を図ることができる。
【００２１】
請求項２に記載の本発明は、請求項１に記載のスイッチ付き表示器において、前記一対のカバー壁は、前記カバー本体から離れる側に凸になる形状に形成されて前記ラバースイッチの位置を導く部分になる頂部を有することを特徴とする。
【００２２】
このような特徴を有する本発明によれば、カバーにおける一対のカバー壁に形成された頂部によってスイッチの位置を導くことができる。これにより、スイッチをカバー側でなく表示器本体ユニットの方に設けても操作性をよくすることができる。
【００２３】
請求項３に記載の本発明は、請求項１又は２に記載のスイッチ付き表示器において、前記スイッチ土台部は、前記ケース取り付け部の反対側に形成される基板載置部を有し、前記基板の前記裏面は、前記基板載置部に載置される複数の被載置部を有し、前記基板の表面は、前記カバーから押圧される複数の被押圧部を有し、前記カバー本体の内面は、前記被押圧部を押圧する複数の押圧部を有することを特徴とする。
【００２４】
このような特徴を有する本発明によれば、弾力性を有する複数のラバースイッチに基板載置部を有することから、スイッチの上に基板を載置することができる。これにより、基板への振動の伝達を抑制することができる。また、本発明によれば、ラバースイッチ自身が振動や外力を吸収することから、表示部及び基板（表示基板）の信頼性を向上させることができる。
【００２５】
また、本発明によれば、カバーに押圧部を有するとともに基板に被押圧部を有することから、カバーにて基板を押圧して、カバーとラバースイッチとの間に基板を挟み込むことができる。これにより、ネジ止めせずに基板を保持することができ、さらには、コストダウンや作業性の向上を図ることができる。また、本発明によれば、カバーの押圧によりラバースイッチのスイッチ土台部がユニットケースに押し付けられることから、気密性や液密性を確保することができる。
【００２６】
請求項４に記載の本発明は、請求項１、２又は３に記載のスイッチ付き表示器において、前記周壁の壁内面は、凸形状の位置決め凸部を有し、前記基板の縁部は、凹形状の位置決め凹部を有することを特徴とする。
【００２７】
このような特徴を有する本発明によれば、位置決め凹部と位置決め凸部とを有することから、容易に基板の位置決めをすることができる。また、本発明によれば、位置決め凹部と位置決め凸部との配置を工夫すれば誤組み付けを防止することもできる。従って、作業性の向上に寄与することができる。
【００２８】
請求項５に記載の本発明は、請求項１、２、３又は４に記載のスイッチ付き表示器において、前記基板に接続される出力ケーブルを更に備え、前記底壁は、前記出力ケーブルの引出部分としてのケーブル貫通孔を有することを特徴とする。
【００２９】
このような特徴を有する本発明によれば、ユニットケースにおける基板収容部の底壁から出力ケーブルを引き出すようになることから、カバーの着脱に影響を来すことがなく、結果、作業性の向上に寄与することができる。また、出力ケーブルを最短で基板に接続することができるようになることから、結果、耐ノイズ性能を向上させることができる。
【００３０】
また、上記課題を解決するためになされた請求項６に記載の本発明の流量計は、請求項１、２、３、４又は５に記載のスイッチ付き表示器と、センサケーブルを介して前記スイッチ付き表示器の基板に接続される流量計測用のセンサ部とを備えることを特徴とする。
【００３１】
このような特徴を有する本発明によれば、請求項１、２、３、４又は５に記載のスイッチ付き表示器を構成に含むことから、より良い流量計を提供することができる。
【発明の効果】
【００３２】
本発明によれば、作業性の向上や表示面積の増大、さらには各部分の保護などを図ることができるという効果を奏する。
【図面の簡単な説明】
【００３３】
【図１】本発明のスイッチ付き表示器を備えた容積流量計の斜視図であり、（ａ）は表示部が流量計の前方を向いた図、（ｂ）は表示部の向きを変えた図である。
【図２】図１のスイッチ付き表示器の構成図である。
【図３】図２の要部拡大図である。
【図４】図２の矢印Ａ方向の図である。
【図５】図２の矢印Ｂ方向の図である。
【図６】図２の矢印Ｃ方向の図である。
【図７】取り外したカバーをユニットケースに引っ掛けた状態の図である。
【図８】従来例の容積流量計の斜視図である。
【図９】図８の容積流量計を配管の途中に取り付けた状態の斜視図である。
【図１０】図８の容積流量計における表示部の向きを変えた図である。
【図１１】図８の容積流量計における本体部の分解斜視図である。
【図１２】図８のスイッチの構造に係る説明図であり、（ａ）はカバーの正面図、（ｂ）は（ａ）のＤ−Ｄ線断面図である。
【図１３】図８のスイッチの構造に係る説明図（ラベルシール有り）であり、（ａ）はカバーの正面図、（ｂ）は（ａ）のＥ−Ｅ線断面図である。
【発明を実施するための形態】
【００３４】
流量計は、スイッチ付き表示器を備える。このスイッチ付き表示器は、表示器本体ユニットと、例えば樹脂製のカバーと、カバー固定手段とを備える。表示器本体ユニットは、弾力性を有する一又は複数のラバースイッチと、樹脂製のユニットケースと、表示基板とを有する。ラバースイッチは、スイッチ軸部と操作部と可動接点とスイッチ土台部とケース取り付け部とを有する。ユニットケースは、基板収容部を有する。この基板収容部は、周壁と開口部と底壁とを有する。周壁における相対向する一対の壁の壁外面は、凹部及び凸部のうちのいずれか一方を有する。底壁は、複数のスイッチ用貫通孔と固定部とを有する。表示基板は、表示部と基板とを有する。この基板の裏面は、固定接点を有する。カバーは、カバー本体と一対のカバー壁とを有する。カバー本体は、表示部を臨む透明な視認部を有する。一対のカバー壁の壁内面は、上記凹部及び凸部のうちのいずれか他方を有する。
【実施例】
【００３５】
以下、図面を参照しながら実施例１を説明する。図１は本発明のスイッチ付き表示器を備えた容積流量計の斜視図であり、（ａ）は表示部が流量計の前方を向いた図、（ｂ）は表示部の向きを変えた図である。また、図２は図１のスイッチ付き表示器の構成図、図３は図２の要部拡大図、図４〜図６は図２の矢印Ａ〜Ｃ方向の図、図７は取り外したカバーをユニットケースに引っ掛けた状態の図である。
【００３６】
以下の説明において、具体的な形状、材料、数値、方向等は、本発明の理解を容易にするための例示であって、用途、目的、仕様等に合わせて適宜変更することができるものとする。
【００３７】
＜容積流量計１の構成について＞
図１において、容積流量計１（流量計）は、従来例と同様の本体部１０２と、この本体部１０２に取り付けられるスイッチ付き表示器２（従来例の計数部に相当する）とを備えて構成される。また、容積流量計１は、従来例と同様に配管１０４（図９参照）の途中に取り付けられて、配管１０４の内部を流れる被測定流体を計量し、そして、スイッチ付き表示器２の内部で流量に係る演算をして表示をすることができるように構成される。
【００３８】
＜スイッチ付き表示器２の構成について＞
図１及び図２において、スイッチ付き表示器２は、取付台座１１２と、この取付台座１１２よりも前方の方向変更機構１１１と、方向変更機構１１１よりも前方の表示器本体ユニット３と、この表示器本体ユニット３よりも前方の樹脂製のカバー４と、カバー４を表示器本体ユニット３に固定するための複数のネジ５（カバー固定手段）とを備えて構成される。
【００３９】
＜表示器本体ユニット３について＞
図２及び図３において、表示器本体ユニット３は、弾力性を有する二つのラバースイッチ６、７（図５及び図６参照）と、樹脂製のユニットケース８と、表示基板９とを有する。
【００４０】
尚、引用符号１０はセンサ部を示す。また、引用符号１１はセンサケーブルを示す。また、引用符号１２はアース線を示す。図中の中心線に関し、中心線ＣＬ１はユニットケース８のケース軸であって、特許請求の範囲に記載された第一の方向に相当する。また、中心線ＣＬ２は方向変更機構１１１の回転軸に相当する。さらに、中心線ＣＬ３（図４参照）は特許請求の範囲に記載された第二の方向に相当する。
【００４１】
＜ラバースイッチ６、７について＞
ラバースイッチ６、７は、操作用のスイッチであって、従来例のスイッチ１３１、１３２（図８参照）を代替するものである。ラバースイッチ６、７は、共に同じ形状に形成される。以下、ラバースイッチ７を代表例に挙げて説明をする。ラバースイッチ７は、上記の如く弾力性を有し、本実施例においてはシリコンゴム製のものが採用される。ラバースイッチ７は、スイッチ軸部１３と、スイッチ土台部１４とを有する。
【００４２】
スイッチ軸部１３は、ユニットケース８の中心線ＣＬ１に沿った第一の方向にのびる略円柱形状に形成される。このようなスイッチ軸部１３の一端側には、操作部１５が形成される。また、スイッチ軸部１３の他端には、導電性の可動接点１６が設けられる。スイッチ軸部１３は、この操作部１５がユニットケース８の後述するスイッチ用貫通孔３３を貫通してケース外部に突出するような長さに形成される。また、スイッチ軸部１３は、ラバースイッチ７が操作されると、可動接点１６が表示基板９の後述する固定接点４２に接触するような長さに形成される。
【００４３】
スイッチ土台部１４は、ユニットケース８の所定位置に取り付けることができるように形成される。また、スイッチ土台部１４は、表示基板９を載置することができるように形成される。さらに、スイッチ土台部１４は、スイッチ軸部１３を中心線ＣＬ１に沿って往復自在にすることができるように形成される。すなわち、スイッチ土台部１４は、ケース取り付け部１７と、基板載置部１８と、軸部連結部１９とを有する。スイッチ土台部１４は、本実施例において、平面視円形状に形成される（図４参照）。
【００４４】
ケース取り付け部１７は、軸部連結部１９を支える部分として形成される。スイッチ土台部１４は、基板載置部１８を介し、表示基板９からの圧縮の力が作用すると、固定部３４に対し密着して気密性や液密性を確保することができるように形成される。基板載置部１８は、表示基板９における後述する基板４０の裏面（被載置部４１）に対する載置部分として形成される。本発明では、表示基板９がユニットケース８に載置されず、スイッチ土台部１４に載置される。軸部連結部１９は、薄肉の環状部分に形成される。軸部連結部１９は、スイッチ軸部１３の往復運動に必要な長さに形成される。軸部連結部１９は、可動接点１６が固定接点４２に接触しない位置の形状が初期形状になるように形成される。
【００４５】
＜ユニットケース８について＞
図２ないし図６において、ユニットケース８は、ガラス繊維入りの樹脂材料を用いて形成される樹脂成形品であって、第一ケース２０と、第二ケース２１とを備えて構成される。本実施例において、第一ケース２０は本発明に係るケースであって、第二ケース２１は、従来同様のケースが採用される。これら第一ケース２０及び第二ケース２１の係合部分は、方向変更機構１１１に該当する部分として形成される。すなわち、従来同様の構成及び構造を有する。尚、引用符号２２はサイドプレートを示す。ユニットケース８に関しては、第一ケース２０が本発明に係る部分であることから、第一ケース２０における特徴部分についてのみ、以下に説明をする。
【００４６】
第一ケース２０は、表示基板９を収容する部分として形成される基板収容部２３を有する。この基板収容部２３は、複数の壁からなる周壁２４と、周壁２４の一端に開口する開口部２５（図４参照）と、周壁２４の他端に位置する底壁２６とを有する。
【００４７】
周壁２４は、相対向する一対の壁２７を有する。一対の壁２７の壁外面は、この壁外面を凹ませるようにして形成される凹部２８を有する。凹部２８は、上記第二の方向に沿って（中心線ＣＬ３に沿って）のびるように形成される。また、凹部２８は、上記第一の方向に沿って（中心線ＣＬ１にも沿って）のびるようにも形成される。凹部２８は、略長方形の凹み形状に形成される。尚、凹部２８に関し、上方の開口部分はカバー４の後述する凸部５１に対する導入口を示す（符号省略）。
【００４８】
開口部２５は、表示基板９における後述する基板４０の形状に合わせて開口するように形成される。図４に示す如く、開口部２５を生じさせる周壁２４の一端には、複数のネジ穴２９と、パッキン溝３０とが形成される。パッキン溝３０には、パッキン３１が収納される。尚、引用符号３２は、周壁２４の壁内面に形成される位置決め凸部を示す。この位置決め凸部３２は、内方に小さく突出する凸形状の部分であって、表示基板９における後述する基板４０の位置決めをすることができるように形成される。
【００４９】
底壁２６は、ラバースイッチ６、７に係る部分として、複数のスイッチ用貫通孔３３及び固定部３４を有する。また、底壁２６は、出力ケーブル３５に係る部分としてケーブル貫通孔３６を有する。スイッチ用貫通孔３３は、スイッチ軸部１３を貫通させて操作部１５をケース外部に突出させることができるように形成される。固定部３４は、ケース取り付け部１７を固定することができるように形成される。ケーブル貫通孔３６は、出力ケーブル３５を引き出すことができるように形成される。
【００５０】
尚、引用符号３７はゴムブッシュを示す。このゴムブッシュ３７は、出力ケーブル３５に取り付けられてケーブル貫通孔３６に圧入される。また、引用符号３８はゴムブッシュ押さえを示す。ゴムブッシュ押さえ３８は、ケーブル貫通孔３６に係合してゴムブッシュ３７を押さえ付けることができるように形成される。出力ケーブル３５は、表示基板９における後述する基板４０に接続される。
【００５１】
＜表示基板９について＞
図２ないし図４において、表示基板９は、表示部３９と、この表示部３９を実装する基板４０とを有する。表示部３９は、公知のＬＣＤであって、平面視長方形状に形成される。表示部３９には、数値や電池残量等が表示される。基板４０には、センサケーブル１１やアース線１２や出力ケーブル３５が接続される。
【００５２】
基板４０は、この裏面に複数の被載置部４１と固定接点４２とを有する。また、基板４０は、この表面に複数の被押圧部４３を有する。被載置部４１は、スイッチ土台部１４の基板載置部１８に載置される部分として形成される。基板４０は、被載置部４１の部分でラバースイッチ６、７に載置される。固定接点４２は、図示しない回路パターン上に設けられる接点であって、被載置部４１の内側に配置される。
【００５３】
被押圧部４３は、カバー４の後述する押圧部４９により押圧される部分として形成される。基板４０は、押圧部４９にて被押圧部４３が押圧される。この押圧により、カバー４とラバースイッチ６、７との間に基板４０が挟み込まれて保持されることになる。すなわち、ネジレスで保持されることになる。
【００５４】
基板４０の縁部には図示しない位置決め凹部が形成される。この位置決め凹部は、凹形状に形成されて、基板収容部２３の凸形状になる位置決め凸部３２に差し込まれる。基板４０は、位置決め凹部と位置決め凸部３２とにより位置決めされる。
【００５５】
＜カバー４について＞
図２ないし図７において、カバー４は、透明な樹脂材料を用いて形成される樹脂成形品であって、カバー本体４４と、このカバー本体４４に連成される一対のカバー壁４５とを有する。カバー本体４４は、開口部２５を覆うことができるように平面視矩形状に形成される。このようなカバー本体４４は、表示部３９を臨む透明な部分としての視認部４６を有する。尚、透明な樹脂材料からなるカバー４は、視認部４６以外の部分が例えばユニットケース８と同じ色に塗装される。
【００５６】
カバー本体４４の表面側は、この四隅位置にネジ止め部４７を有する。また、カバー本体４４の裏面側は、パッキン溝係合部４８（図７参照）と、複数の押圧部４９とを有する。押圧部４９は、基板４０の被押圧部４３を押圧する部分として形成される。
【００５７】
一対のカバー壁４５は、第一ケース２０の一対の壁２７に対向するように配置形成される。カバー壁４５は、カバー本体４４から離れる側に凸になる形状に形成される。すなわち、頂部５０を有する略三角形状に形成される。頂部５０は、ラバースイッチ６、７の位置を導く部分として形成される。頂部５０は、目視しなくてもこれを触ればラバースイッチ６、７の位置が分かるような形状に形成される。頂部５０の裏側は（カバー壁４５の壁内面には）、第一ケース２０の壁２７の凹部２８に差し込まれて移動自在になる凸部５１を有する。凸部５１は、凹部２８の深さに合わせて突出する丸ピン形状に形成される。
【００５８】
尚、壁２７の凹部２８をカバー壁４５に形成し、逆にカバー壁４５の凸部５１を壁２７に配置してもよいものとする（この場合、カバー壁４５の形状を上記三角形状から変更する必要がある）。
【００５９】
＜スイッチ付き表示器２のまとめ＞
以上、図１ないし図７を参照しながら説明してきたように、容積流量計１のスイッチ付き表示器２は、表示器本体ユニット３と、樹脂製のカバー４と、カバー固定手段としてのネジ５とを備える。表示器本体ユニット３は、弾力性を有するラバースイッチ６、７と、樹脂製のユニットケース８と、表示基板９とを有する。ラバースイッチ６、７は、スイッチ軸部１３と、スイッチ土台部１４と、操作部１５と、可動接点１６と、ケース取り付け部１７と、基板載置部１８とを有する。
【００６０】
ユニットケース８は、この第一ケース２０に基板収容部２３を有する。基板収容部２３は、周壁２４と、開口部２５と、底壁２６と、位置決め凸部３２とを有する。周壁２４の一対の壁２７は、この壁外面に凹部２８を有する。底壁２６は、スイッチ用貫通孔３３と、固定部３４と、ケーブル貫通孔３６とを有する。
【００６１】
表示基板９は、表示部３９と、基板４０とを有する。基板４０の裏面は、被載置部４１と、固定接点４２とを有する。また、基板４０の表面は、被押圧部４３を有する。基板４０は、この縁部に図示しない位置決め凹部を有する。カバー４は、カバー本体４４と一対のカバー壁４５とを有する。カバー本体４４は、視認部４６を有する。一対のカバー壁４５は、頂部５０を有する。また、カバー壁４５は、この壁内面に凸部５１を有する。
【００６２】
＜スイッチ付き表示器２の作用効果について＞
本発明に係るスイッチ付き表示器２によれば、ユニットケース８に略長方形の凹み形状になる凹部２８を有し、カバー４は丸ピン形状の凸部５１を有することから、これら凹部及び凸部の係合により、例えば電池交換の際、取り外したカバー４を図７に示す如くユニットケース８に引っ掛けておくことができるという効果を奏する。そして、取り外したカバー４をユニットケース８の上側もしくは下側の任意の方向（ヒンジと異なり二方向に開けることができるのが特徴になる）に引っ掛けておくことができれば、傷付きが生じなく、カバー４を元の状態に戻す際には方向性を気にせずに作業をすることができるという効果を奏する。従って、スイッチ付き表示器２によれば、作業性を向上させることができるという効果を奏する。
【００６３】
また、スイッチ付き表示器２によれば、ラバースイッチ６、７をカバー４側でなく表示器本体ユニット３の方に設けることから、表示面積を大きく確保することができたり、スイッチの誤操作防止や劣化防止を図ったりすることができるという効果を奏する。
【００６４】
また、スイッチ付き表示器２によれば、カバー４にラバースイッチ６、７が存在しないことから、カバー４にスイッチ操作者の手が触れることは基本的に無くなり、透明樹脂に劣化を生じさせ得る油分等が繰り返し恒常的にカバー４に付着することの防止をすることができるという効果を奏する。更に、カバー４上にスイッチ用の開口部、及び、それを密閉して気密性を確保する構造そのものが無くなることから、カバー４の劣化・変形等による開口部からの気密性低下が本質的に生じないという効果を奏する。
【００６５】
また、スイッチ付き表示器２によれば、シリコーンゴム製のラバースイッチ６、７を採用することから、材質の面から耐油性能や耐振動性能等の向上を図ることができるという効果を奏する。
【００６６】
また、スイッチ付き表示器２によれば、カバー壁４５の頂部５０によってラバースイッチ６、７の位置を目視しなくても分からせることができるという効果を奏する。すなわち、ラバースイッチ６、７をカバー４側でなく表示器本体ユニット３の方に設けても十分な操作性を確保することができるという効果を奏する。
【００６７】
また、スイッチ付き表示器２によれば、弾力性を有するラバースイッチ６、７の上に基板４０を載置することができるという効果を奏する。これにより、基板４０への振動の伝達を抑制することができるという効果を奏する。
【００６８】
また、スイッチ付き表示器２によれば、ラバースイッチ６、７自身が振動や外力を吸収できることから、表示部３９及び基板４０の信頼性を向上させることができるという効果を奏する。
【００６９】
また、スイッチ付き表示器２によれば、カバー４とラバースイッチ６、７との間に基板４０を挟み込むことから、ネジ止めをせずに基板４０を保持することができ、結果、コストダウンや作業性の向上を図ることができるという効果を奏する。
【００７０】
また、スイッチ付き表示器２によれば、カバー４の押圧によりラバースイッチ６、７のスイッチ土台部１４をユニットケース８の底壁２６に押し付けることから、気密性や液密性を確保することができるという効果を奏する。
【００７１】
また、スイッチ付き表示器２によれば、図示しない位置決め凹部と位置決め凸部３２とを係合させることから、容易に基板４０の位置決めをすることができるという効果や、位置決め凹部と位置決め凸部３２との配置を工夫することで誤組み付けを防止することができるという効果を奏する。従って、作業性の向上に寄与することができるという効果を奏する。
【００７２】
また、スイッチ付き表示器２によれば、基板収容部２３の底壁２６から出力ケーブル３５を引き出すことから、カバー４の着脱に影響を来すことがなく、結果、作業性の向上に寄与することができるという効果や、出力ケーブル３５を最短で基板４０に接続して耐ノイズ性能を向上させることができるという効果を奏する。
【００７３】
以上、スイッチ付き表示器２によれば、作業性の向上や表示面積の増大、さらには各部分の保護などを図ることができるという効果を奏する。
【００７４】
本発明は本発明の主旨を変えない範囲で種々変更実施可能なことは勿論である。
【符号の説明】
【００７５】
１…容積流量計（流量計）、  ２…スイッチ付き表示器、  ３…表示器本体ユニット、  ４…カバー、  ５…ネジ（カバー固定手段）、  ６、７…ラバースイッチ、  ８…ユニットケース、  ９…表示基板、  １０…センサ部、  １１…センサケーブル、  １２…アース線、  １３…スイッチ軸部、  １４…スイッチ土台部、  １５…操作部、  １６…可動接点、  １７…ケース取り付け部、  １８…基板載置部、  １９…軸部連結部、  ２０…第一ケース、  ２１…第二ケース、  ２２…サイドプレート、  ２３…基板収容部、  ２４…周壁、  ２５…開口部、  ２６…底壁、  ２７…壁、  ２８…凹部、  ２９…ネジ穴、  ３０…パッキン溝、  ３１…パッキン、  ３２…位置決め凸部、  ３３…スイッチ用貫通孔、  ３４…固定部、  ３５…出力ケーブル、  ３６…ケーブル貫通孔、  ３７…ゴムブッシュ、  ３８…ゴムブッシュ押さえ、  ３９…表示部、  ４０…基板、  ４１…被載置部、  ４２…固定接点、  ４３…被押圧部、  ４４…カバー本体、  ４５…カバー壁、  ４６…視認部、  ４７…ネジ止め部、  ４８…パッキン溝係合部、  ４９…押圧部、  ５０…頂部、  ５１…凸部
【要約】
【課題】作業性の向上や表示面積の増大、さらには各部分の保護などを図ることが可能な、スイッチ付き表示器及び流量計を提供する。
【解決手段】スイッチ付き表示器２は、ユニットケース８に凹部２８を有し、カバー４には凸部５１を有する。例えば電池交換の際に取り外したカバー４をユニットケース８に引っ掛けておくことができる。取り外したカバー４をユニットケース８に引っ掛けておくことができれば、傷付きが生じなく、カバー４を元の状態に戻す際には方向性を気にせずに作業をすることができる。また、スイッチ付き表示器２によれば、ラバースイッチ６、７をカバー４側でなく表示器本体ユニット３の方に設ける。これにより、表示面積を大きく確保することができたり、スイッチの誤操作防止や劣化防止を図ったりすることができる。
【選択図】図７【図１】
0005965008.tif 000002
【図２】
0005965008.tif 000003
【図３】
0005965008.tif 000004
【図４】
0005965008.tif 000005
【図５】
0005965008.tif 000006
【図６】
0005965008.tif 000007
【図７】
0005965008.tif 000008
【図８】
0005965008.tif 000009
【図９】
0005965008.tif 000010
【図１０】
0005965008.tif 000011
【図１１】
0005965008.tif 000012
【図１２】
0005965008.tif 000013
【図１３】
0005965008.tif 000014